(57)【要約】      （修正有）【課題】通常用電力と蓄電電力を自動で切り換える事が出来る、停電しない器を提供する。【解決手段】停電しない器は、電力が止まった時、通常使用の電力を蓄電充電された電力に自動で切り換える停電蓄電充電スイッチ１を有し、溜められた電力を自動で供給する。【選択図】図１
0003230425.tif 000002
【実用新案登録請求の範囲】
【請求項１】
0003230425.tif 000005
【考案の詳細な説明】
0003230425.tif 000003
0003230425.tif 000004
【図１】
0003230425.tif 000006
【手続補正書】
【提出日】令和2年5月29日(2020.5.29)
【手続補正１】
【補正対象書類名】実用新案登録請求の範囲
【補正対象項目名】全文
【補正方法】変更
【補正の内容】
【実用新案登録請求の範囲】
【請求項１】
突然電力の供給が止まった時、さまざまな電力の力で支えていた電力の力が切れなくなり支えられなくなったとき、充電、蓄電、溜められた電力を供給出来るようにする充電蓄電切り換えヒュウズスイッチに自動で切り換えられ、充電蓄電された電力を供給できるようにし蓄電された通常の電力が供給され、通常の電力が供給されれば自動で使われた電力は充電蓄電され電力を溜められます。
【手続補正２】
【補正対象書類名】明細書
【補正対象項目名】全文
【補正方法】変更
【補正の内容】
【考案の詳細な説明】
【技術分野】
【０００１】本校案は電力の供給を絶え間なく供給しなければならない状況にある方々の為、電力を必要とされる方々の為、停電の被害範囲をを最小限に抑える事に関する物である。
【背景技術】
【０００２】電力を出来るだけ少しも止める事無く電力を必要とする方々の安全の為に停電の範囲の被害を出来るだけ防ぐ事と、停電中を狙い防犯を妨げ犯罪を仕掛けられたり狙われた方が犯罪者から安全に身を守るため、防犯カメラなど停電の被害を最小限にする事と、電力を必要とする方々の為に停電の被害の範囲を出来るだけ防ぐ為の器械に関する停電しない器を提供する。
【考案の概要】
【考案が解決しようとする課題】
【０００３】停電を防ぐには、ヒュウズスイッチ、には従来の電力のヒュウズスイッチを蓄電電力に切り替える事も出来るヒュウズスイッチが必要です。電力がオーバーした時のヒュウズスイッチとを備える事が出来るようにし、停電し電力が突然途絶えたときのヒュウズスイッチを蓄電された電力に切り替える事が自動的に出来るようにします。電力の流れをメター機能モター機能を通し蓄電、充電する電力などさまざまな電力でヒュウズスイッチを支える事が出来ます。
ヒュウズスイッチを支える電力の切り換え方法は支える電力の力が切れると（停電すると）支えられなくなり、充電、電力を溜められた蓄えられた電力を使用出来るようににヒュウズスイッチが自動的に入り切り換えられます。停電が改善され電力が普及され戻った時に蓄電、充電にスイッチが自動で入り停電時の為に充電蓄電され、ヒュウズスイッチが並べまた連結させ同時に切り換える事が出来るように通常道理に自動でスイッチを切り換える事が出来ます。通常は自動で電停電時に備えて力を充電、蓄電します。
【課題を解決するための手段】
【０００４】予測できない停電時でも自動で、充電、蓄電された電力に切り換え充電、蓄電された電力にスイッチが自動で通常用電力から蓄電充電用に切り換えられます。（停電しない器の全体と全体内において、備えた所や、各分部部分の箇の角度、向き、曲、長さ、高さ、幅など形による事は、全体、箇所、素材は、使用しやすく備える事が出来ます。通常用ヒューズスイッチの付いている電力版に、充電、蓄電切り換えスイッチを備える事もできます。）自動で切り換えられ充電、蓄電された電力とが持つ限り、停電が復旧されるまで停電を防ぐ事が出来ます。電力が復旧されたら、通常の電力の流れる力で電力が入っている状態にスイッチが入ると蓄電、充電される状態に切り換えられて自動でスイッチを支え切り換える事が出来ます。
【考案の効果】
【０００５】電力を必要とされている方の突然の停電をくい止める為に、突然電力の供給が停止しても自動で充電、蓄電された電力に切り換えられ、停電することなく通常の電力の供給が復旧されるまで耐え忍べる限り耐え忍び電力を使用することが出来るようにします。
通常の電気の力で停電しない器の切り換え軸を支え、通常の電力の供給が止まり停電したら自動的に電力により支える力がなくなり、充電、蓄電された電力を使用する事が出来るように、スイッチが自動的に入り、停電しても電力を使用する事が出来ます。
電力を必要とされている方々の、さまざまな災害被害などによる、停電の被害の範囲を少しでも減らす事が出来るようになります。
【図面の簡単な説明】
【０００６】
【図１】停電しない器全体図
【考案を実施するための形態】
【実施例】
【０００７】図１は停電しない器のぜんたい図です。予測できない停電時に自動で充電、蓄電された電力に切り換え停電を防ぎ、電力を自動で通常非常時の為に備えられ充電、蓄電されている電力に切り換えられ、通常の電力が復旧されるまで停電を防ぐ事ができます。
【符号の説明】
【０００８】１、充電蓄電切り換えヒュウズスイッチ
２、充電蓄電
【手続補正書】
【提出日】令和2年10月28日(2020.10.28)
【手続補正１】
【補正対象書類名】実用新案登録請求の範囲
【補正対象項目名】全文
【補正方法】変更
【補正の内容】
【実用新案登録請求の範囲】
【請求項１】
停電しない器において電力が止まった時、通常使用の電力が蓄電充電された電力に１．停電蓄電充電スイッチにより切り換えられ溜められた電力を自動で供給する事が出来る事を特徴とした停電しない器。
【手続補正２】
【補正対象書類名】明細書
【補正対象項目名】全文
【補正方法】変更
【補正の内容】
【考案の詳細な説明】
【技術分野】
【０００１】
本校案は電力の供給を絶え間なく供給しなければならない状況にある方々の為、電力を必要とされる方々の為、停電の被害範囲をを最小限に抑える事に関する物である。
【背景技術】
【０００２】
電力を出来るだけ少しも止める事無く電力を必要とする方々の安全の為に停電の範囲の被害を出来るだけ防ぐ事と、停電中を狙い防犯を妨げ犯罪を仕掛けられたり狙われた方が犯罪者から安全に身を守るため、防犯カメラなど停電の被害を最小限にする事と、電力を必要とする方々の為に停電の被害の範囲を出来るだけ防ぐ為の器械に関する停電しない器を
提供する。
【考案の概要】
【考案が解決しようとする課題】
【０００３】
停電を防ぐには、電力の供給が止まり停電した時、自動で停電スイッチが蓄電、充電された電力に切り換わり、停電をふせぎます。電力の力、流れをメター機能やモター機能などさまざまな電力の流れで動かす力を停電スイッチを支える力に応用し電力が途絶えたとき電力で支えきれず停電スイッチが左右や上下など動き蓄電、充電に自動的に切り換える事が出来ます。停電が改善され電力が普及され戻った時に同時に蓄電、充電もする事が出来ます。蓄電、充電にスイッチが自動で入り停電時の為に蓄電、充電され、停電スイッチと蓄電スイッチと並べまた連結させ同時に切り換える事が出来るように自動でスイッチを切り換える事が出来ます。停電スイッチを蓄電、充電スイッチに２本でも１本でも、左右や上下回転など電力の力を応用し切り換える事が出来ます。
【課題を解決するための手段】
【０００４】
予測できない停電時でも自動で、通常用電力から蓄電充電用に切り換えられ停電を防ぐ事が出来ます。（停電しない器の形、個数、全体と全体内において、備えた所や、各分部部分の箇の角度、向き、曲、長さ、高さ、幅など形による事は、全体、箇所、素材は、使用しやすい所に（配電盤内配電盤外でも備える事が可能）備える事が出来ます。電力が復旧されたら、通常の電力が入った時の力と電力が切れ途絶えたときの力を応用して電力の切り換えが自動で出来、蓄電、充電された電力に切り換えられ自動で応用スイッチを支え切り換える事が出来ます。蓄電充電器は容量と個数はいくつにしても、いくつ付けても可能です。外観スイッチは２本でも１本でも使用して切り換える事が出来ます。
【考案の効果】
【０００５】
電力を必要とされている方の突然の停電をくい止める為に、突然電力の供給が停止しても自動で充電、蓄電された電力に切り換えられ、停電することなく通常の電力の供給が復旧されるまで耐え忍べる限り耐え忍び電力を使用することが出来るようにします。
通常の電気の力で停電しない器の切り換え軸を支え、通常の電力の供給が止まり停電したら自動的に電力により支える力がなくなり、充電、蓄電された電力を使用する事が出来るように、スイッチが自動的に入り、停電しても電力を使用する事が出来ます。
電力を必要とされている方々の、さまざまな災害被害などによる、停電の被害の範囲を少しでも減らす事が出来るようになります。さまざまな電力の力で支えた電力の力と、電力が切れ途絶えた時に動いた時の力を応用します。
【図面の簡単な説明】
【０００６】
【図１】停電しない器全体図、停電蓄電充電スイッチは内部や下部部分を通常用と蓄電充電を同時に切り換えられる配列にし外側を一本にする事も出来ます。
【考案を実施するための形態】
【実施例】
【０００７】
図１は停電しない器のぜんたい図です。１、は通常の使用電力と蓄電充電電力と同時に切り換えられるように、くっつけ、並ばせ同時に押し、束ね、重ね、繋ぎ備えた停電蓄電充電スイッチです。２は蓄電充電器です。予測できない停電時に自動で蓄電充電された電力に切り換え停電を防ぎ、通常の電力を自動で非常時の為に備えられ充電、蓄電されている電力に切り換えられ、通常の電力が復旧されるまで停電を防ぐ事ができます。
【符号の説明】
【０００８】
１、停電蓄電充電スイッチ(通常用使用電力と蓄電充電された電力を、同時に押して、並ばせ、くっつけ、重ね、繋ぎ。束ね。きりかえるスイッチ)
２、蓄電充電器
【手続補正３】
【補正対象書類名】図面
【補正対象項目名】全図
【補正方法】変更
【補正の内容】
【図１】
0003230425.tif 000007